(57)【要約】【課題】取り外し可能な爪装飾具において、装飾具の取り付け位置の選択を自在にする。【解決手段】第１の面ファスナーを表面に有し、爪に取り付け可能な基台と、装飾具と、前記装飾具に固定することができ、前記第１の面ファスナーと結合する第２の面ファスナーとを備え、前記第１の面ファスナーは前記第２の面ファスナーより大きい。【選択図】図１
2015217167.tif 000002
【特許請求の範囲】
【請求項１】
第１の面ファスナーを表面に有し、爪に取り付け可能な基台と、
装飾具と、
前記装飾具に固定することができ、前記第１の面ファスナーと結合する第２の面ファスナーとを備え、
前記第１の面ファスナーは前記第２の面ファスナーより大きい、
ことを特徴とする爪装飾具セット。
【請求項２】
前記第１の面ファスナーと前記第２の面ファスナーとの結合力は１．２０Ｎ／ｃｍ２より小さい、ことを特徴とする請求項１に記載の爪装飾具セット。
【請求項３】
前記基台は、前記爪に取り付けられた際に、前記第１の面ファスナーが前記爪の表面の２０％以上を覆うように構成されていることを特徴とする、請求項１又は２に記載の爪装飾具セット。
【請求項４】
第１の面ファスナーを表面に有する基台を爪に取り付ける工程と、
前記第１の面ファスナーと結合する第２の面ファスナーを表面に有する装飾具を、前記第１の面ファスナーを介して前記爪に取り付ける工程とを有し、
前記第１の面ファスナーは前記第２の面ファスナーより大きい、
ことを特徴とする爪装飾具の取り付け方法。
【請求項５】
前記爪は自爪である、ことを特徴とする請求項３に記載の爪装飾具の取り付け方法。
【発明の詳細な説明】
【技術分野】
【０００１】
本発明は、爪装飾具セット及び爪装飾具セットの取り付け方法に関する。
【背景技術】
【０００２】
従来、人の手指又は足指の爪に装着する、着脱自在な装飾物が知られている。例えば、特許文献１には、スナップボタンが設けられている付け爪に、装飾物を着脱自在に取り付けること、及びスナップボタンの代わりにマジックテープ（登録商標）を用いることができることが記載されている。また、特許文献２には、爪の表面にスナップボタンの凸部を有する基台を接着し、スナップボタンの凹部を備える装飾物を取り付けることが記載されている。
【先行技術文献】
【特許文献】
【０００３】
【特許文献１】特開２００２−２８２０４０号公報
【特許文献２】特開２００８−１６１７０８号公報
【発明の概要】
【発明が解決しようとする課題】
【０００４】
特許文献１，２に記載の発明には、装飾具を取り付けられる位置がスナップボタンが設けられている位置に限定されるという問題があった。
【０００５】
本発明は当該事情に鑑み発明されたものであって、取り外し可能な爪装飾具において、装飾具の取り付け位置の選択を自在にすることを目的とする。
【課題を解決するための手段】
【０００６】
本発明の目的を達成するために、例えば、本発明の爪装飾具セットは以下の構成を備える。すなわち、第１の面ファスナーを表面に有し爪に取り付け可能な基台と、装飾具と、前記装飾具に固定することができ、前記第１の面ファスナーと結合する第２の面ファスナーとを備え、前記第１の面ファスナーは前記第２の面ファスナーより大きい、ことを特徴とする。
【発明の効果】
【０００７】
取り外し可能な爪装飾具において、装飾具の取り付け位置の選択を自在にする。
【図面の簡単な説明】
【０００８】
【図１】爪装飾具セットの一例を示す図である。
【図２】爪装飾具の取り付け方法の一例を示す図である。
【図３】基台の形状及び爪への取り付け位置の一例を示す図である。
【発明を実施するための形態】
【０００９】
以下、本発明を適用できる実施形態を図面に基づいて説明する。ただし、本発明の範囲は以下の実施形態に限定されない。
【００１０】
図１において、本発明の一実施形態に係る爪装飾具セット１００が、人の手指の爪１１０に装着される状態が示されている。爪装飾具セット１００は、基台２００と、第２の面ファスナー３１０と、装飾具３２０とを備える。
【００１１】
基台２００は、第１の面ファスナー２１０を備える表面と、爪１１０に取り付けられる裏面とを備え、裏面を介して爪１１０に取り付けが可能である。基台２００の裏面には、粘着剤又は両面テープが備えられていてもよい。
【００１２】
本実施形態において、爪１１０とは、生物が有する爪（以下、自爪と呼ぶ）であってもよいし、人工の爪（以下、人工爪と呼ぶ）であってもよい。ここで、生物には人間が含まれるが、生物の種類は特に限定されない。人工爪には、付け爪又はネイルチップ等が含まれる。また、付け爪にはスカルプチュア又はジェル等が含まれる。爪１１０には整形若しくはマニキュア等の前処理が施されていてもよい。このような前処理を行うことによって、基台２００の取り付けが容易になるという効果、又はより優れた美観を有するという効果が得られうる。
【００１３】
本実施形態において、第１の面ファスナー２１０とは基台２００に備えられる面ファスナーである。面ファスナーは、その表面において他の面ファスナーと取り外し可能に結合する部材のことを指す。本実施形態においては、第１の面ファスナー２１０と、後述する第２の面ファスナー３１０とが、互いに取り外し可能に結合するように構成されている。一実施形態において、第１の面ファスナー２１０と第２の面ファスナー３１０との一方は、結合面にフック状の構造を有しており（雄側）、このような構造は例えば布に対して起毛加工を行うことにより得られる。また、第１の面ファスナー２１０と第２の面ファスナー３１０との他方は、結合面にループ状の構造を有しており（雌側）、このような構造は例えば布に対して起毛加工を行うことにより得られる。別の実施形態においては、第１の面ファスナー２１０と第２の面ファスナー３１０との一方又は両方の結合面には、フック状の構造とループ状の構造との双方を有している。本実施形態において用いられる面ファスナーの種類は上述のものには限定されず、任意のタイプの面ファスナーを用いることができる。第１の面ファスナー２１０の材質は特に限定されず、例えばナイロン、ポリエステル又は天然繊維等が挙げられる。使用可能な面ファスナーの具体的な例としては、ニューエコマジック（登録商標、クラレファスニング株式会社製）及びマジロック（登録商標、クラレファスニング株式会社製）等が挙げられる。
【００１４】
第１の面ファスナー２１０の大きさは、望ましくは爪１１０の大きさの２０％を必要とする。面ファスナー２１０がより大きいことにより、装飾具３２０の取り付け位置をよりフレキシブルに選択することが自在にできる。加えて、１つの第１の面ファスナー２１０に対して、より多くの装飾具３２０を取り付けることもできる。第１の面ファスナー２１０の大きさの上限は特に限定されず、例えば爪１１０より小さくてもよいが、爪１１０より大きくてもよい。
【００１５】
第１の面ファスナー２１０の形状は、任意の形状でありうる。特に、第１の面ファスナー２１０には意匠が施されていてもよい。従来、取り外し可能なように装飾具を爪に取り付ける技術において、装飾具と爪との取り付け部は、装飾具に隠れるような大きさとされていた。これは、装飾具と爪との取り付け部が、単に美観を損なうものとの認識に基づくものと考えられる。しかしながら、爪１１０に取り付けられる第１の面ファスナー２１０は、装飾具３２０が取り付けられていない状態であっても、むしろ美観を向上させる部材として働くことが発見された。
【００１６】
例えば、第１の面ファスナー２１０の形状は、矩形、円形、楕円形、多角形、星型、ハート型、又はキャラクターを模した形状であってもよい。このような形状を有することにより、基台２００が取り付けられた際に、爪１１０の美観が向上するという効果が得られうる。もっとも、第１の面ファスナー２１０の形状は、爪１１０と同じ形状であってもよく、この場合にも第１の面ファスナー２１０は爪１１０に美観を与えうる。同様の観点から、第１の面ファスナー２１０は、任意の色彩及び模様を有することができる。
【００１７】
基台２００は、第１の面ファスナー２１０のみで構成されていてもよい。一方で、基台２００は、基材と、基材上に設けられた面ファスナー２１０とを有していてもよい。基材は、爪１１０の表面に沿って取り付けができ、且つ基材上に設けられた面ファスナーを保持することができる。基材の一例としては、例えばとしては、付け爪又はネイルチップ等のような人工爪が挙げられる。付け爪は例えば、既知のアクリル樹脂製のスカルプチュア若しくはジェルのような付け爪でありうる。基材の別の例としては、布、樹脂又はゴムのような柔軟性を有する材料のシートが挙げられる。
【００１８】
第２の面ファスナー３１０は、装飾具３２０に固定することができ、また第１の面ファスナー２１０と結合する。
【００１９】
装飾具３２０は、爪１１０に取り付けられ、爪１１０の美観を向上させる部材である。例えば、装飾具３２０としては、従来ネイルアートの材料として爪に取り付けられていた部材を用いることができる。装飾具３２０の寸法及び形状は任意であり、装飾具３２０の材料も任意である。装飾具３２０の形状は、立体的であっても、平面的であってもよい。装飾具３２０の材料としては、例えば繊維、植物由来、動物由来、鉱物、樹脂、又は金属などでありうる。装飾具３２０の具体的な例としては、織物、不織布、造花、生花、ドライフラワー、絹、羽毛、皮、毛皮、宝石、ガラス、セラミック、樹脂、又は金属で作られた装飾具が挙げられる。
【００２０】
第２の面ファスナー３１０は、その裏側を装飾具３２０に固定することができる。もっとも、第２の面ファスナー３１０の裏側が、装飾具３２０で予め固定されていてもよい。固定方法としては特に限定されず、例えば既知の取り付け手段を介して固定することができる。取り付け手段としては、例えば、接着剤、両面テープ、縫製、またはステープラー等の手段が挙げられる。第２の面ファスナーは基台２００に備えられる第１の面ファスナー２１０と結合することができる。第２の面ファスナー３１０の詳しい構成については、上述した通りである。第２の面ファスナー３１０の材質としては、ナイロン、ポリエステル又は天然繊維等が挙げられる。
【００２１】
第２の面ファスナー３１０の形状は、任意の形状でありうる。第２の面ファスナー３１０の形状の具体的な例としては、第１の面ファスナー２１０の形状として上述したものと同様のものが挙げられる。
【００２２】
本実施形態において、第１の面ファスナー２１０は、第２の面ファスナー３１０より大きい。このような構成により、第２の面ファスナーは第１の面ファスナーの任意の位置に取り付けができるため、装飾具の取り付け位置の選択を自在にすることができるという効果が得られる。
【００２３】
第２の面ファスナー３１０の大きさは、第１の面ファスナー２１０に十分に固定されるのであれば、特に限定されない。一実施形態においては、第２の面ファスナー３１０の大きさは爪１１０の大きさの１０％以上であり、爪１１０の大きさの９０％以下である。また、第２の面ファスナー３１０は、例えば装飾具３２０と同程度の大きさを有していてもよいし、より小さくてもよい。
【００２４】
基台２００の作製方法について、以下に簡単に説明する。基台２００（又は第１の面ファスナー２１０）は、例えば面ファスナーを所望の形状に切断することにより作製することができる。基台２００の作製に用いる面ファスナーは、既知の任意の面ファスナーでありうる。また、基台２００の作製に用いる面ファスナーが、裏面に粘着シートを備えているタイプであってもよい。面ファスナーの切断には既知の手段を用いることができ、例えば抜き加工又は裁断加工等が挙げられる。また、既知の両面テープを面ファスナーの裏に張り付けた後に、面ファスナーを切断することにより、基台２００を作製してもよい。さらに、面ファスナーを切断した後に既知の両面テープを張り付けることにより、基台２００を作製してもよい。基台２００が、基材と、基材上に設けられた面ファスナー２１０とにより構成される場合、人工爪等の基材に面ファスナー２１０を接着することにより、基台２００を作製することができる。
【００２５】
また、装飾具３２０に固定される第２の面ファスナー３１０は、任意の面ファスナーを所望の形状に切断することにより作製できる。具体的な第２の面ファスナー３１０の作製方法の例としては、第１の面ファスナー２１０の作製方法として上述した方法が挙げられる。
【００２６】
一実施形態において、第１の面ファスナー２１０と第２の面ファスナー３１０との結合力は、１．２０Ｎ／ｃｍ２より小さい。爪に比較的大きな装飾具を取り付ける場合には、日常生活においてその装飾具に衝撃が加えられた場合に、その装飾具と爪との結合力が強いと、爪などに怪我を負う要因となりうる。本実施形態のように、第１の面ファスナー２１０と第２の面ファスナー３１０との結合力を小さくすることにより、爪に取り付けられた装飾具に衝撃が加えられた場合に、その衝撃で容易に面ファスナーが剥がれる。このため、爪などに怪我を負う可能性を低減できる。加えて、このような実施形態によれば、例えば手洗い又は入浴などの日常生活において装飾具が妨げになる際に、簡単に装飾具を取り外すことが可能となる。同時に、従来は水に濡れることにより劣化する素材であるため装飾具に用いることが避けられていた素材であっても、装飾具に用いることが可能となり、装飾具の選択幅を拡大できる。
【００２７】
一実施形態において、第１の面ファスナー２１０と第２の面ファスナー３１０との結合力は、０．８５Ｎ／ｃｍ２より大きい。このような構成により、日常的な動作、例えば指を動かす又は手を振るなどの動作による物理的な力の作用によって、装飾具を備えた第２の面ファスナー３１０が第１の面ファスナー２１０から剥がれる可能性を低減できるという効果が得られる。
【００２８】
次に、本発明の一実施形態に係る、爪装飾具の取り付け方法について、図２のフローチャートを参照して説明する。
【００２９】
ステップＳ１０において、第１の面ファスナー２１０を有する基台２００が爪１１０に取り付けられる。取り付け方法は特に限定されず、例えば公知の粘着剤又は両面テープを用いる方法等が挙げられる。取り付け位置は任意に選択できる。一実施形態においては、図３（Ａ）に示すように爪１１０の付け根部分を実質的に覆うように、基台２００が取り付けられる。より好ましい実施形態においては、基台２００と爪１１０との境界は斜めである、すなわち爪１１０の幅方向に対して傾いている。また、別の実施形態においては、図３（Ｂ）に示すように、爪１１０の中央と付け根との間に基台２００が取り付けられる。より好ましい実施形態においては、基台２００の形状は略円形である。さらなる実施形態においては、図３（Ｃ）に示すように、爪１１０の中央を爪１１０の長さ方向に延びるように、かつ爪１１０の両側部分を覆わないように、基台２００が取り付けられる。より好ましい実施形態において、基台２００は爪１１０の中央部を長さ方向にわたって覆っている。これらの実施形態によれば、基台２００を爪１１０の上に安定して取り付けることができ、基台２００が剥がれ落ちにくい傾向にあることが確認された。また、このように基台２００を取り付けることにより、基台２００のみを爪１１０に取り付けた状態であっても、美観が得られる。
【００３０】
なお、ステップＳ１０においては、自爪である爪１１０に直接基台２００を取り付けてもよいし、自爪である爪１１０に人工爪を取り付け、その上にさらに基台２００を取り付けてもよい。
【００３１】
ステップＳ２０において、第１の面ファスナー２１０と結合する第２の面ファスナー３１０を表面に有する装飾具３２０が、双方の面ファスナーを介して爪１１０に取り付けられる。ここで、第１の面ファスナー２１０は第２の面ファスナー３１０より大きい。取り付け方法としては、第１の面ファスナー２１０に装飾具に備えられた第２の面ファスナー３１０を押し当てる方法が挙げられる。このような面ファスナーの構成により、第２の面ファスナーは第１の面ファスナーの任意の位置に取り付けができるため、装飾具の取り付け位置の選択を自在にすることができるという効果が得られる。また、１つの第１の面ファスナー２１０に対して、第２の面ファスナー３１０を介してより多くの装飾具３２０を取り付けることもできる。
【符号の説明】
【００３２】
１００  爪装飾具セット
１１０  爪
２００  基台
２１０  第１の面ファスナー
３１０  第２の面ファスナー
３２０  装飾具
【図１】
2015217167.tif 000003
【図２】
2015217167.tif 000004
【図３】
2015217167.tif 000005